【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
第１の電圧で電力を供給する第１の電力供給部と、
前記第１の電力供給部から供給される電力の一部を蓄積し、前記第１の電圧が低下したときに、蓄積している電力を供給する第１の蓄電部と、
前記第１の電圧を第２の電圧に変換し、不揮発記憶部に、前記第２の電圧で電力を供給する第２の電力供給部と、
前記第２の電力供給部から供給される電力の一部を蓄積し、前記第２の電圧が低下したときに、前記不揮発記憶部に、蓄積している電力を供給するコンデンサを含む第２の蓄電部と、
第１のスイッチと、
前記第１のスイッチを通して前記不揮発記憶部にアクセスする中央制御部と、
前記第１の電圧を第３の電圧に変換し、前記中央制御部に、前記第３の電圧で電力を供給する第３の電力供給部と、
前記第１の電圧を測定し、該第１の電圧の測定値を出力する電圧検出部と、
前記第１の電圧の測定値に基づいて、前記中央制御部、前記第１のスイッチ、及び前記第３の電力供給部を制御する電源制御部と
を備え、
前記電源制御部は、前記第１の電圧の測定値の低下に応じて、前記中央制御部によるアクセスを停止させ、前記第１のスイッチをオフにし、前記第３の電力供給部による電力供給を停止させる
ことを特徴とする制御装置。
【請求項２】
前記電源制御部は、前記第１の電圧の測定値が所定の第１の電圧閾値より小さくなったとき、前記中央制御部による前記不揮発記憶部へのアクセスを禁止することを特徴とする請求項１に記載の制御装置。
【請求項３】
前記電源制御部は、前記第１の電圧の測定値が所定の第１の電圧閾値より小さくなった後に、前記第１の電圧閾値以上に大きくなったとき、前記中央制御部による前記不揮発記憶部へのアクセスを許可することを特徴とする請求項２に記載の制御装置。
【請求項４】
前記電源制御部は、前記第１の電圧の測定値の低下速度が、所定の電圧低下速度閾値より大きいときに、前記第１のスイッチをオフにして前記中央制御部から前記不揮発記憶部へのアクセスを遮断することを特徴とする請求項１から３までのいずれか１項に記載の制御装置。
【請求項５】
前記電源制御部は、前記第１の電圧の測定値の低下速度が、所定の電圧低下速度閾値より大きいときに、前記第３の電力供給部による前記中央制御部への電力供給を停止することを特徴とする請求項４に記載の制御装置。
【請求項６】
前記電源制御部は、前記第１の電圧の測定値が、前記第１の電圧閾値よりも低い所定の第２の電圧閾値より小さくなったとき、前記第１のスイッチをオフにして前記中央制御部から前記不揮発記憶部へのアクセスを遮断することを特徴とする請求項２又３に記載の制御装置。
【請求項７】
前記電源制御部は、前記第１の電圧の測定値が、前記第１の電圧閾値よりも低い所定の第２の電圧閾値より小さくなったとき、前記第３の電力供給部による前記中央制御部への電力供給を停止することを特徴とする請求項６に記載の制御装置。
【請求項８】
前記第１のスイッチによる前記アクセスの遮断は、前記中央制御部から前記不揮発記憶部への書き込みコマンドが終了した時点で、実行されることを特徴とする請求項４から７までのいずれか１項に記載の制御装置。
【請求項９】
前記第３の電力供給部による前記中央制御部への電力供給の停止は、前記中央制御部から前記不揮発記憶部への書き込みコマンドが終了した時点で、実行されることを特徴とする請求項５又は７に記載の制御装置。
【請求項１０】
前記第３の電力供給部による前記中央制御部への電力供給の停止は、前記第１のスイッチをオフにした後に、実行されることを特徴とする請求項５、７、９のいずれか１項に記載の制御装置。
【請求項１１】
前記第２の蓄電部は、電気二重層コンデンサであることを特徴とする請求項１から１０までのいずれか１項に記載の制御装置。
【請求項１２】
前記電源制御部は、マイクロコントローラであることを特徴とする請求項１から１１までのいずれか１項に記載の制御装置。
【請求項１３】
受信したデータを前記中央制御部に供給する中央制御補助部と、
前記中央制御補助部に、前記第２の電力供給部と前記第２の蓄電部からの電力を供給するオン状態又は供給しないオフ状態に切替える第２のスイッチと、
をさらに備え、
前記電源制御部は、前記第１の電圧の測定値が、前記第２の電圧閾値より小さくなったときに、前記第２のスイッチをオフにして前記中央制御補助部への電力供給を停止する
ことを特徴とする請求項６又は７に記載の制御装置。
【請求項１４】
前記不揮発記憶部と、
前記不揮発記憶部を制御する請求項１から１３までのいずれか１項に記載の制御装置と
を有することを特徴とする記憶装置。
【請求項１５】
前記中央制御部から供給される映像データに基づく映像を表示する表示部と、
前記第１の電圧を第４の電圧に変換し、前記表示部に、前記第４の電圧で電力を供給する第４の電力供給部と、
請求項１４に記載の記憶装置と
を有し、
前記電源制御部は、前記第１の電圧の測定値が、所定の第３の電圧閾値より小さくなったとき、前記第４の電力供給部による前記表示部への電力供給を停止する
ことを特徴とする表示装置。
【請求項１６】
前記中央制御部から供給される映像データに基づく映像を表示する表示部と、
前記第１の電圧を第４の電圧に変換し、前記表示部に、前記第４の電圧で電力を供給する第４の電力供給部と、
記憶装置と
を有し、
前記記憶装置は、
前記不揮発記憶部と、
前記不揮発記憶部を制御する請求項２、３、６、７、及び１３のいずれか１項に記載の制御装置と
を有し、
前記電源制御部は、前記第１の電圧の測定値が、所定の第３の電圧閾値より小さくなったとき、前記第４の電力供給部による前記表示部への電力供給を停止し、
前記第３の電圧閾値は、前記第１の電圧閾値よりも大きい又は等しい
ことを特徴とする表示装置。
【手続補正２】
【補正対象書類名】明細書
【補正対象項目名】００１３
【補正方法】変更
【補正の内容】
【００１３】
本発明に係る記憶装置は、不揮発記憶部と、前記不揮発記憶部を制御する上記制御装置とを有することを特徴とする。
【手続補正３】
【補正対象書類名】明細書
【補正対象項目名】００３９
【補正方法】変更
【補正の内容】
【００３９】
第１のスイッチ１０８は、中央制御部１０９から不揮発記憶部１０７へ入力する書き込み制御信号及び読み出し制御信号をモニターし、第１のイネーブル信号Ｅ１により遮断の指示があった場合、書き込みコマンドと読み出しコマンドの終了を待った後、中央制御部１０９から不揮発記憶部１０７へのアクセスを回路的に遮断するように動作することも可能である。この場合、第１のスイッチ１０８としては、例えば、図４（ａ）〜（ｄ）に示すような構成が挙げられる。図４（ａ），（ｂ）は、第１のスイッチ１０８を構成する回路（ＤフリップフロップとＡＮＤゲート）の例を示し、図４（ｃ）は、Ｄフリップフロップの入力Ｄ，ＥＮと、出力Ｑとの関係を示すタイミング図であり、図４（ｄ）は、図４（ａ）の第１のスイッチ１０８の動作の例を示すタイミング図である。書き込みコマンド、読み出しコマンドの途中で不揮発記憶部１０７へのアクセスを回路的に遮断することが無くなるため、アクセスを遮断する直前のコマンドまで正しく不揮発記憶部１０７へ入力でき、異常なコマンド入力による不揮発記憶部１０７の記憶内容の破壊を回避できる。
【手続補正４】
【補正対象書類名】明細書
【補正対象項目名】００４０
【補正方法】変更
【補正の内容】
【００４０】
〔中央制御部１０９〕
中央制御部１０９は、第３の電力供給部１１０から供給される電力により動作する。また、中央制御部１０９は、電源制御部１０４から入力される割り込み信号Ｉ０により、不揮発記憶部１０７へのデータ書き込みと不揮発記憶部１０７からのデータ読み出しを停止又は再開する。中央制御部１０９は、例えば、ＣＰＵ（Ｃｅｎｔｒａｌ  Ｐｒｏｃｅｓｓｉｎｇ  Ｕｎｉｔ）とＲＡＭ（Ｒａｎｄｏｍ  Ａｃｃｅｓｓ  Ｍｅｍｏｒｙ）により構成される。
【手続補正５】
【補正対象書類名】明細書
【補正対象項目名】００５５
【補正方法】変更
【補正の内容】
【００５５】
また、第１のスイッチ１０８により不揮発記憶部１０７への書き込み信号又は読み出し信号を遮断し、また、第３の電力供給部１１０から中央制御部１０９への電力供給を停止するため、第１の蓄電部１０２に蓄積された電力により、第２の電力供給部１０５から不揮発記憶部１０７へ電力供給する時間を延長することが可能であり、第２の蓄電部１０６に必要とされる容量を小さくできる。また、電池を使用しないため蓄電部への充電時間は短く、また性能劣化による電池の交換も不要となる。